(57)【要約】【課題】  簡単な方法で、既存のアナログ無線機とデジタル通信装置とが通信を行えるようにするとともに、無用な帯域の占有や電力の消費を防止する。【解決手段】      デジタル通信アダプタ１００は、外部とアナログ信号１の送受信を行うアナログ信号送受信手段１１０と、通信のオンオフを制御するアナログ形式の接点信号２を外部と送受信する接点信号送受信手段１２０と、アナログ信号送受信手段１１０および接点信号送受信手段１２０に接続する通信制御手段１３０と、通信制御手段１３０に接続し外部とデジタル信号３の送受信を行うデジタル信号送受信手段１４０とを有している。通信制御手段１３０は、アナログ信号１とデジタル信号３とを相互に変換するＡＤ／ＤＡ変換手段１３１と、接点信号生成手段１３２と、を備えている。【選択図】      図１
2015115739.tif 000002
【特許請求の範囲】
【請求項１】
外部とアナログ信号の送受信を行うアナログ信号送受信手段と、通信のオンオフを制御するアナログ形式の接点信号を外部と送受信する接点信号送受信手段と、外部とデジタル信号の送受信を行うデジタル信号送受信手段と、前記アナログ信号送受信手段とアナログ信号を送受信し前記接点信号送受信手段とアナログ接点信号を送受信し前記デジタル信号送受信手段とデジタル信号を送受信する通信制御手段とを有し、前記通信制御手段は前記アナログ信号と前記デジタル信号とを相互に変換するＡＤ／ＤＡ変換手段と前記接点信号送受信手段からアナログ形式の接点信号を受信した場合にデジタル形式の通信信号接点信号を生成し前記デジタル信号送受信手段からデジタル信号を受信した場合にアナログ形式の接点信号を生成する接点信号生成手段とを有する、ことを特徴とするデジタル通信アダプタ。
【請求項２】
前記アナログ信号送受信手段および前記接点信号送受信手段と前記通信制御手段との間に設けられた通信系切替え手段と、外部との間でアナログ信号およびアナログの接点信号を入出力するアナログ系入出力手段と、を有し、前記通信系切替え手段が前記アナログ信号送受信手段および前記接点信号送受信手段の接続先を前記通信制御手段とするか前記アナログ系入出力手段とするかを切替える接続先切替え手段を有する、ことを特徴とする請求項１に記載のデジタル通信アダプタ。
【請求項３】
前記接点信号が、少なくともＰＴＴ（プッシュ・トゥ・トーク）とスケルチとのどちらか一方を含むことを特徴とする請求項１または請求項２に記載のデジタル通信アダプタ。
【請求項４】
外部からアナログ監視情報を受信する監視情報受信手段と、前記アナログ監視情報をデジタル監視情報に変換する監視情報変換手段と、を有することを特徴とする請求項１乃至請求項３いずれか一項に記載のデジタル通信アダプタ。
【請求項５】
前記アナログ監視情報から通信品質を制御する通信品質パラメータを抽出する信号品質パラメータ抽出手段、を有することを特徴とする請求項４に記載のデジタル通信アダプタ。
【請求項６】
請求項１乃至請求項５いずれか一項に記載のデジタル通信アダプタと、前記デジタル通信アダプタの前記アナログ信号送受信手段および前記接点信号送受信手段に接続するアナログ無線機と、前記デジタル信号送受信手段に接続されたデジタル通信装置と、を有することを特徴とする通信システム。
【請求項７】
前記アナログ通信装置と前記デジタル通信装置とが、移動体管制装置の少なくとも一部をなすかまたは移動体管制装置に接続している、ことを特徴とする請求項７の通信システム。
【請求項８】
アナログ信号の受信動作においては、接点信号送受信部が外部からアナログの接点信号を受信し、前記接点信号からデジタルの接点信号を生成し、前記デジタルの接点信号生成を契機として通信を開始し、アナログ信号送受信手段からアナログ信号を受信し、前記アナログ信号をデジタル信号に変換し、前記デジタル信号をデジタル信号送受信手段から外部に送信し、アナログ信号の送信動作においては、前記デジタル信号送受信手段からデジタル信号を受信し、アナログの接点信号を生成し、前記接点信号を接点信号送受信手段から外部に送信して通信を開始し、前記デジタル信号をアナログ信号に変換し、前記アナログ信号を前記アナログ信号送受信手段から外部に送信する、ことを特徴とするデジタル通信アダプタの制御方法。
【請求項９】
外部からの制御信号によって前記アナログ信号と前記デジタル信号とを相互に変換するか否かを制御する、ことを特徴とする請求項８に記載のデジタル通信アダプタの制御方法。
【請求項１０】
アナログの監視情報を受信し、前記監視情報から信号品質パラメータを抽出し、前記信号品質パラメータをデジタル信号に変換する、ことを特徴とする請求項８または請求項９に記載のデジタル通信アダプタの制御方法。
【発明の詳細な説明】
【技術分野】
【０００１】
本発明は、デジタル通信アダプタおよび制御方法およびデジタル通信アダプタを用いた無線システムに関する。
【背景技術】
【０００２】
現在、音声通信をはじめとする地上回線網と航空機との通信は、主としてアナログ無線によって行われている。しかしながら、今後の地上回線網デジタル化に伴い、地上回線と接続される無線機においてデジタル、アナログの混在が予想される。一部のデータ通信においては既にデジタル化されているものもある。このような状況では。通信項目の増加に伴い装置が複雑化し、重量および費用が増加するという問題がある。
【０００３】
この問題を解決するための技術が、例えば特許文献１に開示されている。この技術では、個々の無線機を専用のプラットフォームに結合してインターフェースを共通化し、シームレスなネットワークを構築する。このことにより、重量および費用の低減を図ることが可能である。
【０００４】
一方、有線通信の分野では、アナログ信号を用いた通話とデジタル信号を用いた通話を切り替えられる電話機が開発されている（例えば特許文献２）。この技術を転用すると、アナログ無線機をデジタル無線機と共通のネットワークに組み込むことが可能である。また同時に、アナログ信号を用いた通信機としてそのまま使用することも可能である。
【先行技術文献】
【特許文献】
【０００５】
【特許文献１】特開２０１３−５１９５８９号公報
【特許文献２】ＷＯ２００２／１０００８３号公報
【発明の概要】
【発明が解決しようとする課題】
【０００６】
しかしながら、特許文献１の技術には、予め共通のプラットフォームを有するシステムを用意しなければならいないという問題点があった。新規に製造するシステムであれば、その思想に沿ってシステムを構築すればよいが、現在多数存在する既存の航空機や管制装置のシステムを全て同方式に置き換えることは、費用と工事期間の観点からほぼ不可能である。
【０００７】
また特許文献２の技術では、費用や工数をかけることなくアナログ無線機をデジタル装置やデジタルネットワークに組み込むことが可能である。しかしながら、アナログ無線機を稼働させている（電話機でオフフックの状態ある）期間は、常時通信状態となり、無用に通信帯域を占有し、また電力も消費してしまう。このため、単純にこの技術を転用しただけでは、効率的なシステムを構築できないという問題点があった。
【０００８】
本発明は、上記の問題点に鑑みてなされたものであり、簡単にアナログ無線機がデジタル通信を行うことを可能にし、かつ必要な時だけ通信を行うことを可能にする装置を提供することを目的とする。
【課題を解決するための手段】
【０００９】
上記の課題を解決するため、本発明のデジタル通信アダプタは、外部とアナログ信号の送受信を行うアナログ信号送受信手段と、通信のオンオフを制御するアナログ形式の接点信号を外部と送受信する接点信号送受信手段と、外部とデジタル信号の送受信を行うデジタル信号送受信手段と、前記アナログ信号送受信手段とアナログ信号を送受信し前記接点信号送受信手段とアナログ接点信号を送受信し前記デジタル信号送受信手段とデジタル信号を送受信する通信制御手段とを有し、前記通信制御手段は前記アナログ信号と前記デジタル信号とを相互に変換するＡＤ／ＤＡ変換手段と前記接点信号送受信手段からアナログ形式の接点信号を受信した場合にデジタル形式の通信信号接点信号を生成し前記デジタル信号送受信手段からデジタル信号を受信した場合にアナログ形式の接点信号を生成する接点信号生成手段と、を有する。
【発明の効果】
【００１０】
本発明の効果は、アナログ無線機を、簡易な方法でデジタル装置やデジタルネットワークに組み込むことが可能なことである。また、通信を適切な期間だけ行うことにより効率の良い通信を実現できることである。
【図面の簡単な説明】
【００１１】
【図１】本発明第１の実施の形態を示すブロック図である。
【図２】本発明第２の実施の形態を示すブロック図である。
【図３】本発明第２の実施の形態のデジタル送信を示すブロック図である。
【図４】本発明第２の実施の形態のアナログ送信を示すブロック図である。
【図５】本発明第２の実施の形態のデジタル受信を示すブロック図である。
【図６】本発明第２の実施の形態のアナログ受信を示すブロック図である。
【図７】本発明第３の実施の形態を示すブロック図である。
【図８】本発明第４の実施の形態を示すブロック図である。
【図９】本発明第５の実施の形態を示すブロック図である。
【図１０】本発明第６の実施の形態を示すブロック図である。
【図１１】本発明第７の実施の形態を示すブロック図である。
【図１２】本発明第８の実施の形態を示すブロック図である。
【図１３】本発明第９の実施の形態を示すブロック図である。
【図１４】本発明第１０の実施の形態を示すブロック図である。
【図１５】本発明第１１の実施の形態を示すブロック図である。
【発明を実施するための形態】
【００１２】
以下、図面を参照しながら本発明について詳細に説明する。
（第１の実施の形態）
図１は本発明第１の実施の形態を示すブロック図である。デジタル通信アダプタ１００は、外部とアナログ信号１の送受信を行うアナログ信号送受信手段１１０と、通信のオンオフを制御するアナログ形式の接点信号２を外部と送受信する接点信号送受信手段１２０と、アナログ信号送受信手段１１０および接点信号送受信手段１２０に接続する通信制御手段１３０と、通信制御手段１３０に接続し外部とデジタル信号３の送受信を行うデジタル信号送受信手段１４０とを有している。ここで、接点信号２とは、通信のオンオフを制御するものであり、接点信号２が送受信されている間に通信が可能で、それ以外の期間は通信を停止するように働くものである。具体的には送信時のＰＴＴ（プッシュ・トゥ・トーク）信号、受信時のスケルチ（以下ＳＱとも称する）信号などである。ただし、通信のオンオフを制御できるものであれば、他の方式の信号であっても良い。
【００１３】
通信制御手段１３０は、アナログ信号１とデジタル信号３とを相互に変換するＡＤ／ＤＡ変換手段１３１と、接点信号生成手段１３２と、を備えている。接点信号生成手段１３２は、接点信号送受信手段１２０からアナログ形式の接点信号２を受信した場合にはデジタル形式の接点信号を生成し、デジタル信号送受信手段１４０からデジタル信号３を受信した場合には、アナログ形式の接点信号を生成する。
【００１４】
次に動作について説明する。なお、接点信号送受信手段１２０およびアナログ信号送受信手段１１０が外部と接続する側をアナログ無線側２００、デジタル信号送受信手段１４０が外部と接続する側をネットワーク側３００と呼ぶこととする。ただし、それぞれに接続される対象がアナログ無線装置やデジタルネットワークに限られることを意味するものではない。
【００１５】
ネットワーク側３００からデジタル信号３が入力され、アナログ無線側２００にアナログ信号１が送出される場合は、まずデジタル信号送受信手段１４０がデジタル信号３を受信し、通信制御手段１３０に転送する。通信制御手段１３０では、接点信号生成手段１３２がアナログ形式の接点信号２を生成して接点信号送受信手段１２０に送信し、ＡＤ／ＤＡ変換手段１３１がデジタル信号３をアナログ信号１に変換してアナログ信号送受信手段１１０に送信する。次いで接点信号送受信手段１２０から接点信号２が外部に送信され通信が開始される。通信が開始されると、アナログ信号送受信手段１１０からアナログ信号１が送信される。
【００１６】
次に、アナログ無線側２００からアナログ信号１が受信される場合について説明する。まず接点信号２が、接点信号送受信手段１２０に受信され、通信制御手段１３０に転送される。通信制御手段１３０では、接点信号生成手段１３２によってデジタル形式の接点信号２ｂが生成され、これを契機としてＡＤ／ＤＡ変換手段１３１が変換動作を開始し通信可能状態となる。なお、デジタル形式の接点信号２ｂがデジタル信号送受信手段１４０からネットワーク側３００に送信されることにより、ネットワーク側３００に接続する装置が受信動作を開始するような動作とすることも可能である。
【００１７】
以上説明したように、本実施の形態によれば、安価な装置と簡便な手法により、アナログ信号とデジタル信号を相互に変換して通信を行うとともに、通信帯域や電力の無駄な消費を抑制することができる。
（第２の実施の形態）
図２は、本実施の形態のデジタル通信アダプタ１００を示すブロック図である。本実施の形態では、デジタル系Ｄとアナログ系Ａとを切り替える通信系切替え手段１５０が設けられている。アナログ信号送受信手段１１０に接続する系統にはスイッチ１５１が設けられ、接点信号送受信手段１２０に接続する系統にはスイッチ１５２が設けられている。通信系切替え手段１５０は外部からの制御信号４によって制御さる。スイッチ１５１およびスイッチ１５２がデジタル系Ｄに接続されている場合には、第１の実施の形態と同様の動作を行う。一方、スイッチ１５１および１５２がアナログ系Ａに接続されている場合には、アナログ無線側２００とネットワーク側３００との間で、アナログ信号１および接点信号２が、そのまま送受信される。
【００１８】
次に下記の場合に分けて構成と動作の概要を説明する。
（１）ネットワーク側３００からデジタル信号を入力し、アナログ無線側２００にアナログ信号を送信する場合。
（２）ネットワーク側３００からアナログ信号を入力し、アナログ無線側２００にアナログ信号を送信する場合。
（３）アナログ無線側２００からアナログ信号を受信し、ネットワーク側３００にデジタル信号を送信する場合。
（４）アナログ無線側２００からアナログ信号を受信し、ネットワーク側３００にアナログ信号を送信する場合。
【００１９】
図３は、（１）の場合を示すブロック図である。まず制御信号４によりスイッチ１５１、１５２はデジタル系Ｄに接続する。次に、デジタル信号送受信手段１４０がデジタル信号３を受信する。デジタル信号送受信手段１４０は、デジタル信号３を通信制御手段１３０に転送する。通信制御手段１３０が信号を受信すると、接点信号生成手段がアナログ形式の接点信号２を生成する。接点信号２は通信系切替え手段１５０を介して接点信号送受信手段１２０に送信される。次いで接点信号送受信手段１２０からアナログ無線側２００に接点信号が送信される。接点信号２が送信されている間だけ、デジタル通信アダプタ１００から外部への信号送信が可能となる。一方、ＡＤ／ＤＡ変換手段１３１は、受信したデジタル信号３をアナログ信号１に変換し、通信系切替え手段１５０を介してアナログ信号１をアナログ信号送受信手段１１０に送信する。次いでアナログ信号送受信手段１１０からアナログ無線側２００にアナログ信号１が送信される。
【００２０】
図４は、（２）の場合を示すブロック図である。まず制御信号４により、スイッチ１５１、１５２がアナログ系Ａに接続する。次に、ネットワーク側３００からアナログの接点信号２が入力される、接点信号２は、通信系切替え手段１５０を介して接点信号送受信手段１２０に送信され、そこからアナログ無線側２００に送信される。この動作により通信がオンになる。一方アナログ信号１は、通信系切替え手段１５０に入力され、アナログ信号送受信手段１１０に転送され、アナログ無線側２００に送信される。
【００２１】
図５は、（３）の場合を示すブロック図である。制御信号４により、スイッチ１５１、１５２がデジタル系Ｄに接続されている。デジタル通信アダプタ１００は、アナログ無線側２００から、接点信号２とアナログ信号１とを受信する。接点信号２は例えばトーンスケルチやコードスケルチなどであり、接点信号２を受信していない場合は、ネットワーク側３００で信号を受信しない、あるいは信号を消滅させてしまうなどして、本来の通信に関係ないノイズをカットするように働くものである。動作としては、まず接点信号送受信手段１２０が接点信号２を受信する。次に接点信号２が通信制御手段１３０に転送される。すると、接点信号生成手段１３２の働きにより、デジタルの接点信号２ａが生成され、ＡＤ／ＤＡ変換手段１３０に送信する。これにより、ＡＤ／ＤＡ変換手段１３０は変換動作を開始する。一方で、デジタル通信アダプタ１００は、アナログ信号送受信手段１１０からアナログ信号１を受信する。アナログ信号１は通信系切替え手段１５０を介して、ＡＤ／ＤＡ変換手段１３１に送信される。ＡＤ／ＤＡ変換手段１３１はアナログ信号１を変換してデジタル信号３を生成し、デジタル信号送受信手段１４０に送信する。次いでデジタル信号送受信手段１４０がネットワーク側３００にデジタル信号３を送信する。以上のようにして、アナログ信号１がデジタル信号３に変換されてネットワーク側３００に受信される。なお、上記の動作では接点信号２ａによってＡＤ／ＤＡ変換手段１３２が変換動作を開始するとしたが、デジタル信号送受信手段１４０から、デジタルの接点信号２ａをネットワーク側３００に送信することにより、ネットワーク側３００に接続された通信装置が受信動作を開始するようにすることも可能である。
【００２２】
図６は、（４）の場合を示すブロック図である。まず制御信号４により、スイッチ１５１、１５２がアナログ系Ａに接続する。次に、アナログ無線側２００から接点信号２が接点信号送受信手段１２０に入力され、そのままネットワーク側３００に送信される。これにより、ネットワーク側３００に接続された通信装置が受信動作を開始する。一方、アナログ信号送受信手段１１０にはアナログ信号１が入力され、送信系切替え手段１５０を介してネットワーク側３００に送信される。ネットワーク側３００では、例えば図示していないアナログ装置などによってアナログ信号１が受信される。以上のようにして、正規の通信以外のノイズを排除することができる。
【００２３】
以上説明したように、本実施の形態によれば、アナログ信号として送受信される信号を、デジタル信号として送受信するかアナログ信号として送受信するかを自在に選択できるようになる。
（第３の実施の形態）
図７は第３の実施の形態を示すブロック図である。図７は、本発明を適用した無線システムの一例である。デジタル通信アダプタ１００のアナログ無線側２００にアナログ無線機２１０が接続され、ネットワーク側３００にデジタル端末装置３１０とアナログ端末装置３２０が接続されている。またデジタル端末装置３１０はデジタルネットワーク３３０に接続し、アナログ端末装置３２０はアナログ回線網３４０に接続している。この構成によれば、既存のアナログ無線機２１０を用いて送受信するアナログ信号１を、デジタルネットワーク３３０がデジタル信号３として送受信できるようになる。また通信系切替え手段１５０によってアナログ系Ａを選択することにより、アナログ端末装置３２０やアナログ回線網３４０との間でアナログ通信を行うこともできる。さらに、接点信号２を活用することにより、必要な時だけ通信を行うことが可能である。このため、無用に通信帯域を占有することなく、通信を行うことができる。なお、図７ではデジタル端末装置３１０から制御信号４が入力されるようになっているが、アナログ端末装置３２０から入力する構成とすることも可能である。
（第４の実施の形態）
本実施の形態は、ネットワーク側３００からアナログ無線側２００にデータを送信するための具体的な構成である。接点信号２としてＰＴＴ（プッシュ・トゥ・トーク）を用いている。ＰＴＴはトランシーバなどでよく用いられ、ＰＴＴをオンにしている時だけ、自らの送信を可能とするものである。
【００２４】
図８はこの時の構成を示すブロック図である。接点信号送受信手段１２０にＰＴＴ送信手段１２１が設けられ、接点信号生成手段１３２にＰＴＴ生成手段１３３が設けられている。送信動作には、ネットワーク側３００からデジタル信号３を送信する場合と、アナログ信号１を送信する場合がある。それぞれについて動作を説明する。
【００２５】
１）デジタル信号３を送信する場合
まず制御信号４により、スイッチ１５１、１５２がデジタル側Ｄに接続される。次にデジタル信号送受信手段１４０にデジタル信号３が入力される。次いで、デジタル信号３が通信制御手段１３０に転送される。信号が受信されると、ＰＴＴ生成手段１３３が接点信号となるアナログ形式のＰＴＴ信号２ａを生成する。そしてＰＴＴ送信手段１２１からＰＴＴ信号２ａが送信され、通信が開始される。一方、ＡＤ／ＤＡ変換手段１３１は、受信したデジタル信号３を変換してアナログ信号１を生成し、通信系切替え手段１５０に送信する。アナログ信号１は、通信系切替え手段１５０を通って、アナログ信号送受信手段１１０からアナログ無線側２００に送信される。
【００２６】
２）アナログ信号１を送信する場合
まず制御信号４により、スイッチ１５１、１５２がアナログ側Ａに接続される。ネットワーク側３００から、アナログのＰＴＴ信号２ａとアナログ信号１が入力される。ＰＴＴ信号２ａはＰＴＴ送信手段１５１からアナログ無線側２００に送信され通信が開始される。アナログ信号１は、通信系切替え手段１２０を通り、アナログ信号送受信手段１１０からアナログ無線側２００に送信される。なお２）の説明では図面を省略している。
【００２７】
以上のようにして、デジタル信号３、アナログ信号１のどちらも送信することができる。また送信は、ＰＴＴ信号２ａを送信している時だけ行われるため、帯域や電力に無駄が生じない。
（第５の実施の形態）
本実施の形態は、ネットワーク側３００がアナログ無線側２００からデータを受信するための具体的な構成である。接点信号２としてＳＱ（スケルチ）を用いている。ＳＱは受信機において、無用な雑音をカットするためのもので、本発明においては、ＳＱ信号２ｂを受信していないときは、受信動作を行わないように働くものとする。例えばトーンスケルチやコードスケルチなどを用いる。具体的な受信の抑圧動作としては、ＡＤ／ＤＡ変換手段１３１が動作を停止したり、ネットワーク側の受信装置で受信動作を停止したり、信号を消滅させたりすることが挙げられるが、その動作はこれに限定されない。
【００２８】
図９は、この時の構成を示すブロック図である。接点信号送受信手段１２０にＳＱ受信手段１２２が設けられ、接点信号生成手段１３２の中にＳＱ生成手段１３４が設けられている。受信動作は、ネットワーク側３００がデジタル信号３として受信する場合と、アナログ信号１として受信する場合とを選択できる。その選択は制御信号４によって行われる。それぞれについて動作を説明する。
【００２９】
１）デジタル信号３として受信する場合
まずＳＱ受信手段１２２がアナログ無線側２００からＳＱ信号２ｂを受信する。ＳＱ信号２ｂはＳＱ生成手段１３４に転送される。ＳＱ生成手段１３４はデジタル形式のＳＱを生成し、ＡＤ／ＤＡ変換手段１３１に送信する。これを受けてＡＤ／ＤＡ変換手段１３１は動作を開始する。次いで、ＡＤ/ＤＡ変換手段１３１は、通信系切替え手段１５０からアナログ信号１を受信する。ＡＤ／ＤＡ変換手段１３１はアナログ信号１を変換してデジタル信号３を生成する。そしてデジタル信号送受信手段１４０に送信する。そしてデジタル信号送受信手段１４０はネットワーク側３００にデジタル信号３を送信する。
【００３０】
なお上記の説明では、ＳＱ信号２ｂの生成によりＡＤ/ＤＡ変換手段１３１が変換動作を開始するとしたが、デジタル形式のＳＱ信号２ｂがネットワーク側３００に送信されることによりネットワーク側３００に接続された通信装置が受信動作を開始するようにすることも可能である。
【００３１】
２）アナログ信号１として受信する場合
まず制御信号４により、スイッチ１５１、１５２がアナログ系Ａに接続される。次に、ＳＱ受信手段１２２がＳＱ信号２ｂを受信する。ＳＱ信号２ｂは通信系切替え手段１５０を介して、そのままネットワーク側３００に送信され、ネットワーク側３００に接続された通信装置が受信可能状態となる。次いで、アナログ信号送受信手段１１０がアナログ信号１を受信する。アナログ信号１は通信系切替え手段１５０を通って、ネットワーク側３００に送信される。なお２）の説明では図面を省略している。
【００３２】
以上、説明したように、本実施の形態によれば、汎用技術であるＰＴＴやＳＱを用いて発明を実現することができる。
（第６の実施の形態）
図１０に本実施の形態のデジタル通信アダプタ１００の構成を示す。本実施の形態のデジタル通信アダプタ１００は、接点信号送受信受信手段１２０にＰＴＴ送信手段１２１とＳＱ受信手段１２２とを備え、接点信号生成手段１３２にＰＴＴ生成手段１３３とＳＱ生成手段１３４とを備えている。すなわち第２の実施の形態と第３の実施の形態が一つにまとめられた構成となっている。このような構成とすることにより、デジタル通信アダプタ１００の構成をシンプルに、また装置全体をコンパクトにすることができる。なお、動作については第３の実施の形態と第４の実施の形態と同様であるため説明を省略する。
（第７の実施の形態）
本実施の形態はアナログ無線側２００からアナログ信号１を受信する場合の一形態であり、アナログ無線側２００に監視情報５の入力部を備えている。監視情報５は、受信レベル（ＲＳＳＩ、Ｒｅｃｅｉｖｅｄ  Ｓｉｇｎａｌ  Ｓｔｒｅｎｇｔｈ  Ｉｎｄｉｃａｔｏｒ）、送信レベル、無線機の正常/異常通知などを含む情報である。ＲＳＳＩは、受信信号の強度を表す指標であり、例えば最も受信レベルの高い信号を選択したり、信号品質を調整したりするために用いられる。
【００３３】
図１１は本実施の形態の構成を示すブロック図である。デジタル通信アダプタ１００は、監視情報５を受信するための監視情報受信手段１６０と、監視情報５をデジタル形式変換するための監視情報変換手段１６１を有している。また両者の間には通信系切替え手段１５０とスイッチ１５３が存在し、デジタル系Ｄとアナログ系Ａを切替えられるようになっている。デジタル系Ｄが選択された時には監視情報変換手段１６１によりデジタル形式の監視情報５ｂに変換され、ネットワーク側３００に送信される。
【００３４】
以上説明したように、本実施の形態によれば、デジタル系においてもアナログ形式で受信した監視情報を利用できるようになる。
（第８の実施の形態）
図１２は本実施の形態のデジタル通信アダプタ１００を示すブロック図である。本実施の形態では、監視情報変換手段１６１に信号品質パラメータ抽出手段１６２が設けられている。信号品質パラメータ抽出手段１６１は監視情報５の中から例えばＲＳＳＩなどの信号品質パラメータ５ｃを抽出し、通信制御部１３０に送信する。通信制御手段１３０では、ＡＤ／ＤＡ変換手段１３１が、信号品質パラメータ５ｃをデジタル形式に変換する。そしてアナログ信号１を変換して生成したデジタル信号３とデジタルの信号品質パラメータ５ｃとを、デジタル信号送受信手段１４０に送信する。デジタル信号送受信手段１４０は、この信号をネットワーク側３００に送信する。
【００３５】
以上説明したように、本実施の形態によれば、デジタル系でも信号品質パラメータを利用できるようになる。このため、通信品質を高めることができる。
（第９の実施の形態）
本実施の形態の現用と予備用の切り替え機能を有している。図１３はその一例を示すブロック図である。接点信号送受信手段１２０のネットワーク側３００の側にスイッチ１７１が設けられている。スイッチ１７１は現用／予備用切替え手段１７０によってオン、オフされる。そして現用／予備用切替え手段１７０は制御信号４によって制御される。
【００３６】
スイッチ１７１がオンの場合は現用であり、第１から第８の実施の形態で説明したような動作を行う。一方、予備用の場合は、スイッチ１７１がオフにされ、接点信号２が遮断され通信不可の状態となる。このようにしておくと、予備用に設定されているときに、信号が誤送信されるのを防ぐことができる。
（第１０の実施の形態）
図１４は、本発明を管制システム４００に適用した例を示すブロック図である。デジタル通信アダプタ１００のアナログ無線側２００にアナログ無線機２１０が接続され、ネットワーク側３００にデジタル端末装置３１０とアナログ端末装置３２０が接続されている。デジタル端末装置３１０はデジタルネットワーク３３０を介して管制システム４００のデジタルシステム４１０に接続している。一方、アナログ端末装置３２０は、アナログ回線網３４０を介して管制システム４００のアナログシステム４２０に接続している。
【００３７】
このような構成とすることにより、管制システム４００は、デジタル通信とアナログ通信とを選択して利用することができる。例えば音声通信においては、アナログ音声通信と、ＶｏＩＰ（Ｖｏｉｃｅ  ｏｖｅｒ  Ｉｎｔｅｒｎｅｔ  Ｐｒｏｔｏｃｏｌ）を用いたデジタル音声通信とを選択して使用することができる。
【００３８】
以上説明したように、本実施の形態によれば、費用や手間をかけることなくアナログ、デジタルの混在に対応する管制システムを構築することができる。
（第１１の実施の形態）
図１５は、本発明を航空機ネットワーク５００に適用した例を示すブロック図である。デジタル通信アダプタ１００のアナログ無線側２００にアナログ無線機２１０が接続され、ネットワーク側３００にデジタル端末装置３１０とアナログ端末装置３２０が接続されている。デジタル端末装置３１０は航空機ネットワーク５００のデジタルネットワーク５１０に接続し、アナログ端末装置３２０はアナログネットワーク５２０に接続している。
【００３９】
以上のような構成とすることにより、大きなシステム変更をすることなくアナログ無線機２１０をデジタルネットワーク５１０通信系とシームレスに接続することが可能となる。このため、費用および重量の増加を抑制することができる。
（付記１）
外部とアナログ信号の送受信を行うアナログ信号送受信手段と、通信のオンオフを制御するアナログ形式の接点信号を外部と送受信する接点信号送受信手段と、外部とデジタル信号の送受信を行うデジタル信号送受信手段と、前記アナログ信号送受信手段とアナログ信号を送受信し前記接点信号送受信手段とアナログ接点信号を送受信し前記デジタル信号送受信手段とデジタル信号を送受信する通信制御手段とを有し、前記通信制御手段は前記アナログ信号と前記デジタル信号とを相互に変換するＡＤ／ＤＡ変換手段と前記接点信号送受信手段からアナログ形式の接点信号を受信した場合にデジタル形式の通信信号接点信号を生成し前記デジタル信号送受信手段からデジタル信号を受信した場合にアナログ形式の接点信号を生成する接点信号生成手段と、を有することを特徴とするデジタル通信アダプタ。
（付記２）
前記アナログ信号送受信手段および前記接点信号送受信手段と前記通信制御手段との間に設けられた通信系切替え手段と、外部との間でアナログ信号およびアナログの接点信号を入出力するアナログ系入出力手段と、を有し、前記通信系切替え手段が前記アナログ信号送受信手段および前記接点信号送受信手段の接続先を前記通信制御手段とするか前記アナログ系入出力手段とするかを切替える接続先切替え手段を有する、ことを特徴とする付記１に記載のデジタル通信アダプタ。
（付記３）
前記接点信号が、少なくともＰＴＴ（プッシュ・トゥ・トーク）とスケルチとのどちらか一方を含む、ことを特徴とする付記１または付記２に記載のデジタル通信アダプタ。
（付記４）
前記通信系切替え手段の切替え動作を制御する制御信号を外部から受信する制御信号受信手段、を有することを特徴とする付記１乃至付記３いずれか一項に記載のデジタル通信アダプタ。
（付記５）
外部からアナログ監視情報を受信する監視情報受信手段と、前記アナログ監視情報をデジタル監視情報に変換する監視情報変換手段と、を有することを特徴とする付記１乃至付記４いずれか一項に記載のデジタル通信アダプタ。
（付記６）
前記アナログ監視情報から通信品質を制御する通信品質パラメータを抽出する信号品質パラメータ抽出手段、を有することを特徴とする付記５に記載のデジタル通信アダプタ。
（付記７）
付記１乃至付記６いずれか一項に記載のデジタル通信アダプタと、前記デジタル通信アダプタの前記アナログ信号送受信手段および前記接点信号送受信手段に接続するアナログ無線機と、前記デジタル信号送受信手段に接続されたデジタル通信装置と、を有することを特徴とする通信システム。
（付記８）
前記アナログ通信装置と前記デジタル通信装置とが、移動体管制装置の少なくとも一部をなすかまたは移動体管制装置に接続している、ことを特徴とする付記７の通信システム。
（付記９）
アナログ信号の受信動作においては、接点信号送受信部が外部からアナログの接点信号を受信し、前記接点信号からデジタルの接点信号を生成し、前記デジタルの接点信号生成を契機として通信を開始し、アナログ信号送受信手段からアナログ信号を受信し、前記アナログ信号をデジタル信号に変換し、前記デジタル信号をデジタル信号送受信手段から外部に送信し、アナログ信号の送信動作においては、前記デジタル信号送受信手段からデジタル信号を受信し、アナログの接点信号を生成し、前記接点信号を接点信号送受信手段から外部に送信して通信を開始し、前記デジタル信号をアナログ信号に変換し、前記アナログ信号を前記アナログ信号送受信手段から外部に送信する、ことを特徴とするデジタル通信アダプタの制御方法。
（付記１０）
外部からの制御信号によって前記アナログ信号と前記デジタル信号とを相互に変換するか否かを制御する、ことを特徴とする付記９に記載のデジタル通信アダプタの制御方法。
（付記１１）
アナログの監視情報を受信し、前記監視情報から信号品質パラメータを抽出し、前記信号品質パラメータをデジタル信号に変換する、ことを特徴とする付記９または付記１０に記載のデジタル通信アダプタの制御方法。
【符号の説明】
【００４０】
１    アナログ信号
２    接点信号
３    デジタル信号
４    制御信号
５    監視情報
１００    デジタル通信アダプタ
１１０    アナログ信号送受信手段
１２０    接点信号送受信手段
１２１    ＰＴＴ送信手段
１２２    ＳＱ受信手段
１３０    通信制御手段
１３１    ＡＤ／ＤＡ変換手段
１３２    接点信号生成手段
１３３    ＰＴＴ生成手段
１３４    ＳＱ生成手段
１４０    デジタル信号送受信手段
１５０    通信系切替え手段
１５１、１５２、１５３    スイッチ
１６０    監視情報受信手段
１６１    監視情報変換手段
１６２    信号品質パラメータ抽出手段
１７０    現用／予備用切替え手段
１７１    スイッチ
２００    アナログ無線側
２１０    アナログ無線機
３００    ネットワーク側
３１０    デジタル端末装置
３２０    アナログ端末装置
３３０    デジタルネットワーク
３４０    アナログ回線網
４００    管制システム
４１０    デジタルシステム
４２０    アナログシステム
５００    航空機ネットワーク
５１０    デジタルネットワーク
５２０    アナログネットワーク
Ａ    アナログ系
Ｄ    デジタル系
【図１】
2015115739.tif 000003
【図２】
2015115739.tif 000004
【図３】
2015115739.tif 000005
【図４】
2015115739.tif 000006
【図５】
2015115739.tif 000007
【図６】
2015115739.tif 000008
【図７】
2015115739.tif 000009
【図８】
2015115739.tif 000010
【図９】
2015115739.tif 000011
【図１０】
2015115739.tif 000012
【図１１】
2015115739.tif 000013
【図１２】
2015115739.tif 000014
【図１３】
2015115739.tif 000015
【図１４】
2015115739.tif 000016
【図１５】
2015115739.tif 000017